(57)【要約】  本発明によるシャフトの微動を防止する分離組み立ての可能なゴルフクラブは、シャフトに一体に挿入締結され、外側に目盛りが構成され、ボルトが挿入され得る通孔が形成されたものであって結合部位にギアが形成されている第１締結部材と、ヘッドシャフトに一体に挿入締結され、中央にはボルトのネジ山と締結されるネジ山が構成されており、第１締結部材と噛み合う結合部位にはギアが形成されている第２締結部材とで構成されたことを特徴とするものである。
2018523557.tif 000002
【特許請求の範囲】
【請求項１】
シャフトまたはヘッド部の微動を防止するための分離組み立ての可能なゴルフクラブにおいて、
前記分離組み立ての可能なゴルフクラブは、
取っ手が構成されるシャフト（１０）と、
シャフトの先端の通孔に一体に挿入締結される上部円筒（２９）及びボルトが挿入され得る通孔（２３）が形成されたものであって結合部位にギア（２５）が形成されている第１締結部材（２０）と、
ヘッドシャフト（３１）に一体に挿入締結される下部円筒（３９）が構成され、中央にはボルトのネジ山と締結されるネジ山（３３）が構成されており、締結時、第１締結部材のギア（２５）と噛み合う結合部位にはギア（３５）が形成されている第２締結部材（３０）と、
ヘッドシャフト（３１）に一体に締結されるヘッド部（４０）とで構成されたことを特徴とする分離組み立ての可能なゴルフクラブ。
【請求項２】
前記第１締結部材（２０）は、外側に目盛りが形成されており、前記第２締結部材（３０）は、外側に矢印が表示されていることを特徴とする請求項１に記載の分離組み立ての可能なゴルフクラブ。
【請求項３】
前記第１締結部材（２０）及び第２締結部材（３０）は、円筒形状からなることを特徴とする請求項１に記載の分離組み立ての可能なゴルフクラブ。
【請求項４】
シャフトまたはヘッド部の微動を防止するための分離組み立ての可能なゴルフクラブにおいて、
前記分離組み立ての可能なゴルフクラブは、
取っ手が構成されるシャフト（１０−１）と、
シャフトの先端の通孔に一体に挿入締結される上部円筒（２９−１）及びボルトが挿入され得る通孔が形成され、通孔にボルトのネジ山と締結されるネジ山（２２−１）が形成されたものであって結合部位にギア（２５−１）が形成されている第１締結部材（２０−１）と、
ヘッドシャフト（３１−１）に一体に挿入締結される下部円筒（３９−１）が構成され、中央にはボルトのネジ山と締結されるネジ山（３３−１）が構成されており、締結時、第１締結部材（２０−１）のギア（２５−１）と噛み合う結合部位にはギア（３５−１）が形成されている第２締結部材（３０−１）と、
前記ヘッドシャフト（３１−１）に締結されるヘッド部（４０−１）とで構成されたことを特徴とする分離組み立ての可能なゴルフクラブ。
【請求項５】
前記第１締結部材（２０−１）は、外側に目盛り（２１−１）が形成されており、前記第２締結部材（３０−１）は、外側に矢印（３７−１）が表示されていることを特徴とする請求項１に記載の分離組み立ての可能なゴルフクラブ。
【請求項６】
前記第１締結部材（２０−１）及び第２締結部材（３０−１）は、円筒形状からなることを特徴とする請求項１に記載の分離組み立ての可能なゴルフクラブ。
【請求項７】
シャフトまたはヘッド部の微動を防止するための分離組み立ての可能なゴルフクラブにおいて、
前記分離組み立ての可能なゴルフクラブは、
取っ手が構成されるシャフト（１０−２）と、
シャフトの先端の通孔に一体に挿入締結される上部円筒（２９−２）及びボルトが挿入され得る通孔が形成されたものであって結合部位にギア（２５−２）が形成されている第１締結部材（２０−２）と、
ヘッドシャフト（３１−２）に一体に挿入締結される下部円筒（３９−２）が構成され、中央にはボルトのネジ山と締結されるネジ山（３３−２）が構成されており、締結時、第１締結部材（２０−２）のギア（２５−２）と噛み合う結合部位にはギア（３５−２）が形成されている第２締結部材（３０−２）と、
第１締結部材と第２締結部材との間に挿入されるパッド（６０−２）と、
ヘッドシャフト（３１−２）に締結されるヘッド部とで構成されたことを特徴とする分離組み立ての可能なゴルフクラブ。
【請求項８】
前記第１締結部材（２０−２）は、外側に目盛り（２１−１）が形成されており、前記第２締結部材（３０−２）は、外側に矢印（３７−２）が表示されていることを特徴とする請求項７に記載の分離組み立ての可能なゴルフクラブ。
【請求項９】
前記第１締結部材（２０−２）は、通孔にネジ山が形成されていることを特徴とする請求項７に記載の分離組み立ての可能なゴルフクラブ。
【請求項１０】
前記ヘッド部は、棗の木の補強部をさらに含んで構成されたことを特徴とする請求項１〜９のうち何れか一項に記載の分離組み立ての可能なゴルフクラブ。
【発明の詳細な説明】
【技術分野】
【０００１】
本発明は分離組み立ての可能なゴルフクラブにおいて、シャフトの微動を防止するためのものである。ゴルフは心理的に安定している時に良いスコアが得られるスポーツであって、このような状況で分離組み立ての可能なパターを利用してパッティングを行う場合、パターシャフトの微動は心理的に不安感を醸成する虞がある。したがって、本発明は分離組み立ての可能なパターにおいて締結時、パターシャフトの揺れがないようにして心理的に安定感をもってパッティングを行うようにするためのものである。
【背景技術】
【０００２】
本発明と関連した従来の技術は、韓国登録特許第１０−１４３７５４７号（２０１４年９月１１日公告）に開示されているものである。図１は、前記従来の分離組み立ての可能なゴルフクラブの構成図である。前記図１において、従来の分離組み立ての可能なゴルフクラブは、一側にグリップ１０１が形成されたシャフト１００と、前記シャフト１００と締結されるヘッド部２００と、前記シャフトとヘッド部の角度を調節し、分離し、締結する分離調節手段２５０とで構成されたものであって、前記分離調節手段２５０はシャフトの一側の先端に横方向に備えられたものであって２〜５の複数の通孔２１５が形成されたボルト部１１０と、前記ヘッド部２００の支持台２１０の先端に形成され、ボルト部１１０が挿入されるものであって外側面に２〜５の複数の通孔２１５−１が形成されたホール２２０と、前記ボルト部に形成された通孔２１５と前記ホールに形成された通孔２１５−１に挿入される調節ピン４００と、前記ホール２２０に挿入されたボルト部１１０と結合するナット部２４０とで構成されたものである。
【０００３】
また、前記ヘッド部２００のゴルフボール打撃面には木などで構成された補強部３００を接着剤などで取り付けてゴルフボールの打撃時、反発力を緩和してゴルフボールが正確に進むようにするものである。前記で補強部３００として用いられる木は棗の木などであって、打撃時に変形のないものでなければならず、また前記補強部３００には横線状の陽刻部３１０を備えたことを特徴とするものである。また、調節ピン４００を前記ボルト部１１０に形成された通孔２１５の一つとホール２２０の外側面に形成された通孔２１５−１の一つに挿入締結してヘッド部２００とシャフト１００との角度を一定に調節し、動かないようにし、安定的な固定をなすようにするものである。
【発明の概要】
【発明が解決しようとする課題】
【０００４】
前記のような従来の分離可能なゴルフクラブは分離組み立てが可能であり、ゴルフヘッドを多様に交換して使用することができるものである。ゴルフヘッドまたはシャフトが締結された状態でも微細に揺れるという問題点がある。したがって、本発明の目的は、分離可能なゴルフクラブにおいて、締結時にシャフトまたはヘッド部の揺れを防止するためのものである。また、本発明の他の目的は、分離組み立て部分の締結部のサイズを小さくして使用時に便利であり、かつ全重量を軽くするためのものである。
【課題を解決するための手段】
【０００５】
前記のような目的を有する本発明によるシャフトの微動を防止する分離組み立ての可能なゴルフクラブは、シャフトに一体に挿入締結され、外側に目盛りが構成され、ボルトが挿入され得る通孔が形成されたものであって、結合部位にギアが形成されている第１締結部材と、ヘッドシャフトに一体に挿入締結され、中央にはボルトのネジ山と締結されるネジ山が構成されており、第１締結部材と噛み合う結合部位にはギアが形成されている第２締結部材とで構成されたことを特徴とするものである。
【発明の効果】
【０００６】
前記のように構成された本発明によるシャフトの微動を防止する分離組み立ての可能なゴルフクラブは、ギアが噛み合う形態で締結されるのでヘッド部とシャフトの締結に離隔がなくなるため、シャフトまたはヘッド部の微動がないという効果を奏する。また、分離組み立て部分がシンプルであり、結合部のサイズが少なくなり、重量が軽くなるという効果を奏する。また、本発明の他の効果は、締結部の美観が良くなるという効果を奏する。
【図面の簡単な説明】
【０００７】
【図１】従来の分離組み立ての可能なゴルフクラブの構成図である。
【図２】本発明によるシャフトの微動を防止する分離組み立ての可能なゴルフクラブの第１実施例である。
【図３】本発明によるシャフトの微動を防止する分離組み立ての可能なゴルフクラブの第２実施例である。
【図４】本発明によるシャフトの微動を防止する分離組み立ての可能なゴルフクラブの第３実施例である。
【図５】本発明に適用される棗の木の補強部を備えたヘッド部の構成図である。
【図６】本発明に適用される第１締結部材と第２締結部材が締結された状態図である。
【発明を実施するための形態】
【０００８】
前記のような目的を有する本発明によるシャフトの微動を防止する分離組み立ての可能なゴルフクラブを図２〜図６に基づいて説明すれば、次のとおりである。
【０００９】
図２は、本発明によるシャフトの微動を防止する分離組み立ての可能なゴルフクラブの第１実施例である。前記図２において、本発明によるシャフトの微動を防止する分離組み立ての可能なゴルフクラブの第１実施例は、取っ手が構成されるシャフト１０と、シャフトの先端の通孔に一体に挿入締結される上部円筒２９と外側に目盛り２１が形成され、ボルトが挿入され得る通孔２３が形成されたものであって結合部位にギア２５が形成されている円筒形状の第１締結部材２０と、ヘッドシャフト３１に下部円筒３９が一体に挿入締結され、中央にはボルト５０のネジ山と締結されるネジ山３３が構成されており、締結時、第１締結部材の結合部位と噛み合う結合部位にはギア３５が形成されているものであって外側に矢印３７が表示されている第２締結部材３０とヘッドシャフトに締結されるヘッド部４０とで構成されたことを特徴とするものである。前記で目盛りは、締結時、ヘッド部とシャフトとの締結位置を合わせるために形成されたことを特徴とするものであって、通常の場合、大きい目盛りと他側の矢印を一致させて結合させると、締結が完了し得るものである。前記のように構成された第１締結部材と第２締結部材は、ギア２５とギア３５がそれぞれ歯と歯の間の凹部が締結されるように離隔による微動を防止することができるものである。
【００１０】
図３は、本発明によるシャフトの微動を防止する分離組み立ての可能なゴルフクラブの第２実施例である。前記図３において、本発明によるシャフトの微動を防止する分離組み立ての可能なゴルフクラブの第２実施例は、取っ手が構成されるシャフト１０−１と、シャフトの先端の通孔に上部円筒２９−１が一体に挿入締結され、外側に目盛り２１−１が形成され、ボルト５０−１が挿入され得る通孔が形成され、通孔にボルトのネジ山と締結されるネジ山２２−１が形成されたものであって結合部位にギア２５−１が形成されている第１締結部材２０−１と、ヘッドシャフト３１−１に下部円筒３９−１が一体に挿入締結され、中央にはボルト５０−１のネジ山と締結されるネジ山３３−１が構成されており、締結時、第１締結部材２０−１の結合部位と噛み合う結合部位にはギア３５−１が形成されているものであって外側に矢印３７−１が表示されている第２締結部材３０−１とヘッドシャフト３１−１に締結されるヘッド部とで構成されたことを特徴とするものである。
【００１１】
図４は、本発明によるシャフトの微動を防止する分離組み立ての可能なゴルフクラブの第３実施例である。前記図４において、本発明によるシャフトの微動を防止する分離組み立ての可能なゴルフクラブの第３実施例は、取っ手が構成されるシャフト１０−２と、シャフトの先端の通孔に一体に挿入締結される上部円筒２９−２と外側に目盛り２１−２が形成され、ボルト５０−２が挿入され得る通孔が形成されたものであって結合部位にギア２５−２が形成されている第１締結部材２０−２と、ヘッドシャフト３１−２に一体に挿入締結される下部円筒３９−２及び中央にはボルト５０−２のネジ山と締結されるネジ山３３−２が構成されており、締結時、第１締結部材２０−２の結合部位と噛み合う結合部位にはギア３５−２が形成されているものであって外側に矢印３７−２が表示されている第２締結部材３０−２と、第１締結部材と第２締結部材との間に挿入される布またはウレタン素材のパッド６０−２と、ヘッドシャフト３１−２に締結されるヘッド部とで構成されたことを特徴とするものである。また、前記で第１締結部材の通孔には、第２実施例のようにネジ山が形成されてボルトが第１締結部材の通孔のネジ山を通過し、第２締結部材の通孔のネジ山と結合されるように締結されるため、締結が完璧になされることができる。
【００１２】
図５は、本発明に適用される棗の木の補強部を備えたヘッド部の構成図である。前記図５において、ヘッド部とシャフトがなす角度は締結部材の矢印と目盛りの位置変動によって異なり得るものであり、またヘッド部４０のゴルフボールが当たる位置には棗の木素材の補強部４５をさらに含んで構成されることができる。前記のような棗の木の補強部４５は、棗の木の補強部にゴルフボールが当たる場合、正確な位置へゴルフボールが進むようにする効果がある。これは、棗の木の材質の強度と経験値に基づく効果である。
【００１３】
図６は、本発明に適用される第１締結部材と第２締結部材が締結された状態図である。前記図６において、本発明に適用される第１締結部材２０と第２締結部材３０は、第１締結部材に形成された目盛りの中でサイズの大きい目盛り２１と第２締結部材の矢印３７が一致するように締結し、ボルト５０で前記第１締結部材及び第２締結部材を結合する構造であることを示しているものである。
【産業上の利用可能性】
【００１４】
前記のような本発明は、シャフトとヘッド部を分離し、締結することができるものであって、多様な種類のパターヘッドを一つのシャフトに締結して使用することができるものであり、安価で多様な種類のパターを利用することができ、ゴルファーの人口数が上昇している傾向から見て需要が多く、産業の発展にも寄与可能な発明である。
【図１】
2018523557.tif 000003
【図２】
2018523557.tif 000004
【図３】
2018523557.tif 000005
【図４】
2018523557.tif 000006
【図５】
2018523557.tif 000007
【図６】
2018523557.tif 000008
【国際調査報告】
2018523557.tif 000009
2018523557.tif 000010
2018523557.tif 000011
2018523557.tif 000012